(57)【特許請求の範囲】
【請求項１】
筒状の精穀筒と、
前記精穀筒内に設けられて前記精穀筒との間に精穀室が形成され、回転されることで前記精穀室の穀粒が精穀される精穀ロールと、
前記精穀筒の内周面に設けられる半球壁状の凹部と、
を備えた精穀装置。
【請求項２】
前記精穀筒の内周面に設けられる半球壁状の凸部を備え、前記精穀室の前記精穀ロール回転径方向における寸法が大きい部分に前記凸部が配置されると共に、前記精穀室の前記精穀ロール回転径方向における寸法が小さい部分に前記凹部が配置される請求項１記載の精穀装置。
【発明の詳細な説明】
【技術分野】
【０００１】
本発明は、穀粒を精穀する精穀装置に関する。
【背景技術】
【０００２】
下記特許文献１に記載の摩擦精穀装置では、摩擦精穀筒内に摩擦精穀ロールが設けられて、摩擦精穀筒と摩擦精穀ロールとの間に摩擦精穀室が形成されており、摩擦精穀ロールが回転されることで、摩擦精穀室の米粒が摩擦精穀される。
【０００３】
ここで、この摩擦精穀装置では、摩擦精穀筒の内周面に突起が形成されており、米粒が突起に圧接されることで、突起によって米粒の回転が促進されて、米粒の攪拌作用が増加される。このため、米粒同士の摩擦力が高くされることで、米粒の精穀度を向上できて、精穀歩留りを向上できる。
【先行技術文献】
【特許文献】
【０００４】
【特許文献１】特開２０１０−４２３５５号公報
【発明の概要】
【発明が解決しようとする課題】
【０００５】
本発明は、上記事実を考慮し、精穀歩留りを一層向上できる精穀装置を得ることが目的である。
【課題を解決するための手段】
【０００６】
請求項１に記載の精穀装置は、筒状の精穀筒と、前記精穀筒内に設けられて前記精穀筒との間に精穀室が形成され、回転されることで前記精穀室の穀粒が精穀される精穀ロールと、前記精穀筒の内周面に設けられる半球壁状の凹部と、を備えている。
【０００７】
請求項２に記載の精穀装置は、請求項１に記載の精穀装置において、前記精穀筒の内周面に設けられる半球壁状の凸部を備え、前記精穀室の前記精穀ロール回転径方向における寸法が大きい部分に前記凸部が配置されると共に、前記精穀室の前記精穀ロール回転径方向における寸法が小さい部分に前記凹部が配置される。
【発明の効果】
【０００８】
請求項１に記載の精穀装置では、精穀筒内に精穀ロールが設けられて、精穀筒と精穀ロールとの間に精穀室が形成されており、精穀ロールが回転されることで、精穀室の穀粒が精穀される。
【０００９】
ここで、精穀筒の内周面に凹部が設けられており、穀粒が凹部に圧接されることで、凹部によって穀粒の回転が促進されて、穀粒の攪拌作用が増加される。このため、穀粒同士の摩擦力が高くされることで、穀粒の精穀度を向上できて、精穀歩留りを向上できる。
【００１０】
さらに、穀粒への圧力が過剰に高くなることを凹部によって抑制でき、穀粒の砕粒を抑制できて、精穀歩留りを一層向上できる。
【００１１】
請求項２に記載の精穀装置では、精穀筒の内周面に凸部が設けられており、精穀室の精穀ロール回転径方向における寸法が大きい部分に凸部が配置される。このため、精穀室における穀粒に圧力がかかりにくい部分に凸部が配置されることで、精穀室の当該部分において穀粒に圧力を適切にかけることができる。
【００１２】
さらに、精穀室の精穀ロール回転径方向における寸法が小さい部分に凹部が配置される。このため、精穀室における穀粒への圧力が高くなりやすい部分に凹部が配置されることで、精穀室の当該部分において穀粒への圧力が過剰に高くなることを抑制できる。
【図面の簡単な説明】
【００１３】
【図１】本発明の実施形態に係る摩擦精穀装置を示す側方から見た断面図である。
【図２】本発明の実施形態に係る摩擦精穀装置における摩擦精穀筒及び摩擦精穀ロール等を示す上方から見た断面図（図１の２−２線断面図）である。
【図３】本発明の実施形態に係る摩擦精穀装置における摩擦精穀筒の長辺部の内周面を示す正面図である。
【図４】（Ａ）及び（Ｂ）は、本発明の実施形態に係る摩擦精穀装置における摩擦精穀筒の長辺部を示す側方から見た断面図であり、（Ａ）は、図３のＡ−Ａ線断面図であり、（Ｂ）は、図３のＢ−Ｂ線断面図である。
【発明を実施するための形態】
【００１４】
図１には、本発明の精穀装置が適用された実施形態に係る摩擦精穀装置１０が側方から見た断面図にて示されている。なお、図面では、摩擦精穀装置１０の上方を矢印ＵＰで示す。
【００１５】
本実施形態に係る摩擦精穀装置１０は、略直方体形箱状のケース１２を備えており、ケース１２内には、上から順に平板状の上仕切板１４及び下仕切板１６が水平に架設されている。
【００１６】
ケース１２の内部には、中空円軸状の回転軸１８が回転可能に支持されており、回転軸１８は、上下方向に沿って配置されて、上仕切板１４及び下仕切板１６を貫通している。
【００１７】
ケース１２の上面には、漏斗状の供給ホッパ２０が固定されており、供給ホッパ２０内は、ケース１２内に連通されている。これにより、供給ホッパ２０内に上側から穀粒としての米粒Ｒ（玄米）が供給されることで、米粒Ｒがケース１２内に供給される。
【００１８】
ケース１２内の上部には、搬送手段を構成する円筒状の送穀筒２２が設けられており、送穀筒２２は、ケース１２の上壁と上仕切板１４との間に架け渡されると共に、内部に回転軸１８が同軸上に配置されている。送穀筒２２内は、供給ホッパ２０内に連通されており、供給ホッパ２０からケース１２内に供給される米粒Ｒは、送穀筒２２内に上側から供給される。
【００１９】
送穀筒２２内における回転軸１８には、搬送手段を構成する略円筒状の送穀ロール２４が同軸上に嵌着されており、送穀ロール２４は、回転軸１８と一体に回転可能にされている。送穀筒２２と送穀ロール２４との間には、送穀室２６が形成されており、送穀筒２２内に上側から供給された米粒Ｒは、送穀室２６に上側から供給される。
【００２０】
送穀ロール２４の外周面には、螺旋状の送穀螺旋２４Ａが同軸上に一体に設けられており、送穀螺旋２４Ａは、送穀ロール２４の外周面から突出されている。これにより、回転軸１８と一体に送穀ロール２４が回転されることで、送穀ロール２４（送穀螺旋２４Ａ）によって送穀室２６の米粒Ｒが下側へ搬送される。
【００２１】
ケース１２内の上下方向中間部には、精穀筒としての金属製の摩擦精穀筒２８（金網）が設けられており、摩擦精穀筒２８は、多角形筒状（本実施形態では略６角形筒状）にされている。摩擦精穀筒２８は、上仕切板１４と下仕切板１６との間に架け渡されており、摩擦精穀筒２８内には、回転軸１８が同軸上に配置されている。
【００２２】
図２に示す如く、摩擦精穀筒２８の周壁には、長尺矩形板状の長辺部２８Ａ及び短辺部２８Ｂがそれぞれ複数（本実施形態ではそれぞれ６個）設けられており、長辺部２８Ａ及び短辺部２８Ｂは、長手方向を摩擦精穀筒２８の軸方向（上下方向）に平行に配置されている。長辺部２８Ａは、短辺部２８Ｂに比し幅方向寸法を大きくされており、長辺部２８Ａと短辺部２８Ｂとは、摩擦精穀筒２８の周方向において、交互に配置されている。
【００２３】
長辺部２８Ａ及び短辺部２８Ｂには、除糠孔としての長尺矩形状の摩擦除糠孔３０（図３参照）が多数貫通形成されており、摩擦除糠孔３０は、米粒Ｒが通過不能にされている。摩擦除糠孔３０は、長辺部２８Ａ及び短辺部２８Ｂの幅方向及び長手方向において等間隔に並べられており、摩擦除糠孔３０は、長辺部２８Ａ及び短辺部２８Ｂの長手方向に対し傾斜されている。
【００２４】
図２、図３及び図４（Ａ）に示す如く、長辺部２８Ａの幅方向両端部には、半球壁状の凸部３２Ａがエンボス加工によって多数形成されており、凸部３２Ａの外周面は、摩擦精穀筒２８の内周面から内側へ球面状に突出されている。凸部３２Ａは、長辺部２８Ａの幅方向において摩擦除糠孔３０間に配置されており、凸部３２Ａは、長辺部２８Ａの長手方向において等間隔に並べられている。
【００２５】
図２、図３及び図４（Ｂ）に示す如く、長辺部２８Ａの幅方向中央部には、半球壁状の凹部３２Ｂがエンボス加工によって多数形成されており、凹部３２Ｂは、凸部３２Ａと同一寸法にされると共に、内周面が摩擦精穀筒２８の内周面から外側へ球面状に凹んでいる。凹部３２Ｂは、長辺部２８Ａの幅方向において複数（本実施形態では２個）並べられると共に摩擦除糠孔３０間に配置されており、凹部３２Ｂ間の長辺部２８Ａ幅方向における間隔Ｃ（図３参照）は、凸部３２Ａと凹部３２Ｂとの間の長辺部２８Ａ幅方向における間隔Ｄ（図３参照）と同一にされている。凹部３２Ｂは、長辺部２８Ａの長手方向に並べられており、凹部３２Ｂは、長辺部２８Ａの長手方向において、所定数（本実施形態では５個）毎に分離されて配置されている。所定数の凹部３２Ｂでは、凹部３２Ｂが長辺部２８Ａの長手方向において等間隔に並べられており、凹部３２Ｂ間の長辺部２８Ａ長手方向における間隔Ｅ（図３参照）は、凸部３２Ａ間の長辺部２８Ａ長手方向における間隔Ｆ（図３参照）と同一にされている。所定数の凹部３２Ｂは、長辺部２８Ａの長手方向において等間隔に並べられており、所定数の凹部３２Ｂ間の長辺部２８Ａ長手方向における間隔Ｇ（図３参照）は、凸部３２Ａ間の長辺部２８Ａ長手方向における間隔Ｆに比し大きくされている。
【００２６】
図１及び図２に示す如く、摩擦精穀筒２８内における回転軸１８には、精穀ロールとしての略円筒状の摩擦精穀ロール３４（攪拌ロール）が同軸上に嵌着されており、摩擦精穀ロール３４は、回転軸１８と一体に回転可能にされている。
【００２７】
摩擦精穀ロール３４の外周面には、攪拌部としての長尺矩形柱状の平行突条３４Ａが所定数（本実施形態では３個）一体に設けられており、平行突条３４Ａは、摩擦精穀ロール３４の外周面から突出されている。平行突条３４Ａは、摩擦精穀ロール３４の軸方向に平行に配置されており、所定数の平行突条３４Ａは、摩擦精穀ロール３４の周方向に等間隔に配置されている。
【００２８】
摩擦精穀筒２８と摩擦精穀ロール３４との間には、精穀室としての摩擦精穀室３６が形成されており、摩擦精穀室３６は、送穀室２６に連通されている。これにより、送穀ロール２４（送穀螺旋２４Ａ）によって送穀室２６を下側へ搬送された米粒Ｒが、摩擦精穀室３６に上側から供給されて、送穀ロール２４（送穀螺旋２４Ａ）によって摩擦精穀室３６を下側へ搬送される。
【００２９】
摩擦精穀室３６（摩擦精穀筒２８と摩擦精穀ロール３４の外周面との間又は摩擦精穀筒２８と平行突条３４Ａの突出端の回転軌跡との間）の摩擦精穀ロール３４径方向（回転径方向）における寸法は、摩擦精穀筒２８の長辺部２８Ａの幅方向中央から幅方向両端へ向かうに従い大きくされると共に、摩擦精穀筒２８の短辺部２８Ｂの幅方向中央から幅方向両端へ向かうに従い大きくされている。このため、摩擦精穀室３６の摩擦精穀ロール３４径方向における寸法は、摩擦精穀室３６の凸部３２Ａが配置される部分が摩擦精穀室３６の凹部３２Ｂが配置される部分に比し大きくされている。
【００３０】
回転軸１８と一体に摩擦精穀ロール３４が回転される際には、摩擦精穀室３６の米粒Ｒが、摩擦精穀ロール３４（平行突条３４Ａ）によって回転力を付与されつつ攪拌されて、摩擦精穀（摩擦精米）される（白米にされる）。さらに、摩擦精穀筒２８の凸部３２Ａ及び凹部３２Ｂに米粒Ｒが圧接されることで、凸部３２Ａ及び凹部３２Ｂによって米粒Ｒの回転が促進されて、米粒Ｒの攪拌作用が増加される。しかも、米粒Ｒが凸部３２Ａに衝突することで、米粒Ｒが受ける衝撃によって米粒Ｒの胚芽が取れやすくなる。また、摩擦精穀室３６において米粒Ｒが摩擦精穀されることで取り除かれる米粒Ｒ表面の糠層（糠粉）等は、摩擦精穀室３６から摩擦精穀筒２８の摩擦除糠孔３０を介して摩擦精穀筒２８外に吸引排出されて、更に、ケース１２外へ吸引排出される。
【００３１】
回転軸１８は、摩擦精穀ロール３４の下側において、開閉部材としての略円筒状の抵抗弁３８に貫通されており、抵抗弁３８は、回転軸１８に対し回転可能にされて回転軸１８の回転を許可すると共に、回転軸１８に対し上下方向へ移動（スライド）可能にされている。抵抗弁３８の外周には、円錐台形筒状の弁部３８Ａが一体に設けられており、抵抗弁３８は、上下方向へ移動されることで、弁部３８Ａが摩擦精穀室３６の下端（排出口）を開閉可能にされている。
【００３２】
抵抗弁３８には、リンク枠４０の一端が回動可能に支持されており、リンク枠４０の中間部は、下記排出筒５０の周壁に貫通した状態で回動可能に支持されている。リンク枠４０の他端には、付勢手段としての引張コイルスプリング４２の一端が接続されており、引張コイルスプリング４２の他端は、調整軸４４の一端に接続されている。調整軸４４は、調整手段としての調整モータ４６に連結されており、調整モータ４６はケース１２内に固定されている。
【００３３】
これにより、引張コイルスプリング４２がリンク枠４０を介して抵抗弁３８に付勢力を付与して、抵抗弁３８（弁部３８Ａ）が摩擦精穀室３６の下端を閉鎖する。さらに、摩擦精穀室３６を下側へ搬送される米粒Ｒの圧力によって抵抗弁３８が引張コイルスプリング４２の付勢力に抗して下側へ移動されることで、抵抗弁３８（弁部３８Ａ）が摩擦精穀室３６の下端を開放して、摩擦精穀室３６から下側に米粒Ｒ（白米）が排出される。
【００３４】
また、調整モータ４６が駆動されることで、調整軸４４が移動（スライド）されて、引張コイルスプリング４２がリンク枠４０を介して抵抗弁３８に付与する付勢力が調整される。これにより、摩擦精穀室３６における米粒Ｒの精穀圧力（精米圧力）が調整される。
【００３５】
回転軸１８には、抵抗弁３８の下側において、円錐台形筒状の排出盤４８が嵌着されており、排出盤４８は、回転軸１８と一体に回転可能にされている。排出盤４８は、有底円筒状の排出筒５０内に収容されており、排出筒５０は、底壁を回転軸１８が回転可能に貫通されると共に、上端が下仕切板１６に固定されている。排出筒５０の周壁には、排出樋５２が一体に設けられており、排出樋５２は、内部が排出筒５０内に連通されると共に、先端（下端）がケース１２外に突出されている。
【００３６】
摩擦精穀室３６から下側に排出された米粒Ｒは、排出筒５０内の排出盤４８上に落下する。これにより、回転軸１８と一体に排出盤４８が回転されることで、排出盤４８上の米粒Ｒが、排出盤４８によって回転力を付与されて、排出筒５０内から排出樋５２内を介してケース１２外に排出される。
【００３７】
次に、本実施形態の作用を説明する。
【００３８】
以上の構成の摩擦精穀装置１０では、調整モータ４６が駆動されることで、調整軸４４が移動されて、引張コイルスプリング４２がリンク枠４０を介して抵抗弁３８に付与する付勢力が調整される。これにより、摩擦精穀室３６における米粒Ｒの精穀圧力が調整される。
【００３９】
さらに、回転軸１８が回転されることで、送穀ロール２４、摩擦精穀ロール３４及び排出盤４８が一体に回転される。
【００４０】
供給ホッパ２０に上側から米粒Ｒ（玄米）が供給されると、米粒Ｒが、送穀室２６に上側から供給されて、回転される送穀ロール２４（送穀螺旋２４Ａ）によって下側へ搬送されることで、摩擦精穀室３６を下側へ搬送される。
【００４１】
摩擦精穀室３６では、米粒Ｒが、回転される摩擦精穀ロール３４（平行突条３４Ａ）によって回転力を付与されつつ攪拌されて、摩擦精穀される。すなわち、米粒Ｒ相互間に摩擦力が作用して、米粒Ｒ表面の糠層等が取り除かれる。さらに、摩擦精穀筒２８の凸部３２Ａ及び凹部３２Ｂに米粒Ｒが圧接されることで、凸部３２Ａ及び凹部３２Ｂによって米粒Ｒの回転が促進されて、米粒Ｒの攪拌作用が増加される。しかも、米粒Ｒが凸部３２Ａに衝突することで、米粒Ｒが受ける衝撃によって米粒Ｒの胚芽が取れやすくなる。
【００４２】
摩擦精穀室３６において米粒Ｒが摩擦精穀されることで取り除かれる米粒Ｒ表面の糠層（糠粉）等は、摩擦精穀室３６から摩擦精穀筒２８の摩擦除糠孔３０を介して摩擦精穀筒２８外に吸引排出されて、更に、ケース１２外へ吸引排出される。
【００４３】
摩擦精穀室３６を下側へ搬送される米粒Ｒの圧力によって抵抗弁３８が引張コイルスプリング４２の付勢力に抗して下側へ移動されると、抵抗弁３８（弁部３８Ａ）が摩擦精穀室３６の下端を開放して、摩擦精穀室３６から下側に米粒Ｒ（白米）が排出される。
【００４４】
摩擦精穀室３６から下側に排出された米粒Ｒは、排出筒５０内の回転される排出盤４８上に落下する。これにより、排出盤４８上の米粒Ｒが、排出盤４８によって回転力を付与されて、排出筒５０内から排出樋５２内を介してケース１２外に排出される。
【００４５】
ここで、上述の如く、米粒Ｒが摩擦精穀される際には、摩擦精穀筒２８の凸部３２Ａ及び凹部３２Ｂに米粒Ｒが圧接されることで、凸部３２Ａ及び凹部３２Ｂによって米粒Ｒの回転が促進されて、米粒Ｒの攪拌作用が増加される。このため、米粒Ｒ同士の摩擦力が高くされることで、米粒Ｒの精穀度（精米白度）を向上できて、精穀歩留り（精米歩留り）を向上できる。なお、凸部３２Ａによる米粒Ｒの回転促進効果と凹部３２Ｂによる米粒Ｒの回転促進効果とは、同等である。
【００４６】
しかも、上述の如く、米粒Ｒが摩擦精穀される際には、米粒Ｒが凸部３２Ａに衝突することで、米粒Ｒが受ける衝撃によって米粒Ｒの胚芽が取れやすくなる。このため、米粒Ｒの精穀度を一層向上できて、精穀歩留りを一層向上できる。
【００４７】
また、摩擦精穀筒２８の長辺部２８Ａの幅方向両端部に凸部３２Ａが設けられており、摩擦精穀室３６の摩擦精穀ロール３４径方向における寸法が大きい部分に凸部３２Ａが配置される。このため、米粒Ｒが摩擦精穀される際に摩擦精穀室３６における米粒Ｒに圧力がかかりにくい部分に凸部３２Ａが配置されることで、摩擦精穀室３６の当該部分において米粒Ｒに圧力を凸部３２Ａによって適切にかけることができる。
【００４８】
さらに、摩擦精穀筒２８の長辺部２８Ａの幅方向中央部に凹部３２Ｂが設けられており、摩擦精穀室３６の摩擦精穀ロール３４径方向における寸法が小さい部分に凹部３２Ｂが配置される。このため、米粒Ｒが摩擦精穀される際に摩擦精穀室３６における米粒Ｒへの圧力が高くなりやすい部分に凹部３２Ｂが配置されることで、摩擦精穀室３６の当該部分において米粒Ｒへの圧力が過剰に高くなることを凹部３２Ｂによって抑制できる。
【００４９】
これにより、米粒Ｒが摩擦精穀される際に米粒Ｒへの圧力が過剰に高くなることを摩擦精穀室３６の周方向全体において抑制でき、米粒Ｒの砕粒を抑制できて、精穀歩留りを一層向上できる。
【００５０】
さらに、上述の如く、米粒Ｒが摩擦精穀される際には、米粒Ｒへの圧力が過剰に高くなることを摩擦精穀室３６の周方向全体において抑制できる。このため、摩擦精穀ロール３４の回転抵抗が高くなることを摩擦精穀ロール３４の全回転位置において抑制でき、摩擦精穀装置１０に供給する電流値を低くできて、摩擦精穀装置１０の消費電力を低くできる。しかも、摩擦精穀室３６の周方向全体において米粒Ｒの温度上昇を抑制できる。
【００５１】
なお、本実施形態では、摩擦精穀筒２８に凸部３２Ａ及び凹部３２Ｂを設けた。しかしながら、摩擦精穀筒２８に凹部３２Ｂのみを設けてもよい。
【００５２】
さらに、本実施形態では、摩擦精穀筒２８の長辺部２８Ａに凸部３２Ａ及び凹部３２Ｂを設けた。しかしながら、これと共に、又は、これに代えて、摩擦精穀筒２８の短辺部２８Ｂに凸部３２Ａ及び凹部３２Ｂの少なくとも一方を設けてもよい。
【００５３】
また、本実施形態では、回転軸１８（送穀筒２２、送穀ロール２４、摩擦精穀筒２８及び摩擦精穀ロール３４等を含む）を上下方向に沿って配置した。しかしながら、回転軸１８（送穀筒２２、送穀ロール２４、摩擦精穀筒２８及び摩擦精穀ロール３４等を含む）を水平方向に沿って配置してもよく、また、回転軸１８（送穀筒２２、送穀ロール２４、摩擦精穀筒２８及び摩擦精穀ロール３４等を含む）を上下方向及び水平方向に対し傾斜させて配置してもよい。
【符号の説明】
【００５４】
１０    摩擦精穀装置（精穀装置）
２８    摩擦精穀筒（精穀筒）
３２Ａ  凸部
３２Ｂ  凹部
３４    摩擦精穀ロール（精穀ロール）
３６    摩擦精穀室（精穀室）
Ｒ    米粒（穀粒）
【要約】
【課題】精穀歩留りを一層向上する。
【解決手段】摩擦精穀装置１０では、摩擦精穀筒２８と摩擦精穀ロール３４との間の摩擦精穀室３６において、米粒Ｒが回転される摩擦精穀ロール３４によって攪拌されて摩擦精穀される。ここで、摩擦精穀筒２８の凸部３２Ａ及び凹部３２Ｂによって米粒Ｒの回転が促進されて、米粒Ｒの攪拌作用が増加される。このため、米粒Ｒの精穀度を向上できて、精穀歩留りを向上できる。さらに、摩擦精穀室３６において米粒Ｒへの圧力が過剰に高くなることを凹部３２Ｂによって抑制できる。このため、米粒Ｒの砕粒を抑制できて、精穀歩留りを一層向上できる。
【選択図】図２【図１】
0005921748.tif 000002
【図２】
0005921748.tif 000003
【図３】
0005921748.tif 000004
【図４】
0005921748.tif 000005